(57)【特許請求の範囲】
【請求項１】
上水道からの水を熱交換缶体に導いて熱交換加熱し又は加熱することなく、給湯回路に出湯した後、風呂自動給湯管を介して自動的に風呂追い焚き循環回路に落とし込み、浴槽へ導入することができるようにした風呂自動給湯機能付給湯装置であって、制御部の機構として、風呂温度を風呂設定温度よりも少し低い温度に調節する風呂ぬるめ運転が指令された場合には、予め検出し且つ記憶させた前回の給湯運転の際の最終入水温度と今回の給湯運転における風呂設定温度とを比較し、前回の給湯運転の最終入水温度が今回の給湯運転の風呂設定温度よりも低い温度である場合には、浴槽温度が今回の給湯運転の風呂設定温度よりも一定温度だけ低い温度になるように落とし込み量を演算して、その量を熱交換加熱することなく落とし込ませ、前回の給湯運転の最終入水温度が今回の給湯運転の風呂設定温度以上である場合には、落とし込みを行わせない機構としたことを特徴とする風呂自動給湯機能付給湯装置。
【請求項２】
制御部の機構として、前回の給湯運転の最終入水温度が今回の給湯運転の風呂設定温度以上である場合には、入水管内の水を新たな水に置き換えることができる程度の少量の一定水量を熱交換加熱することなく落とし込ませる機構とした請求項１に記載の風呂自動給湯機能付給湯装置。
【発明の詳細な説明】
【０００１】
【発明の属する技術分野】
本発明は、風呂自動給湯機能を備えた風呂自動給湯機能付給湯装置に関する。
【０００２】
【従来の技術】
従来、熱交換缶体で熱交換加熱された温水を、給湯回路から風呂自動給湯管を介して風呂追い焚き循環回路に落とし込み、浴槽へ導入することができるようにした風呂自動給湯機能付給湯装置が提供されている。また前記風呂自動給湯機能を利用して、上水道等からの水を熱交換加熱することなく或いは多少加熱して前記風呂自動給湯管を介して浴槽に自動落とし込みし、風呂温度を風呂設定温度よりも少し低い温度に調節する風呂ぬるめ運転ができるようにした風呂自動給湯機能付給湯装置が提供されている。
【０００３】
【発明が解決しようとする課題】
ところが上記従来の風呂ぬるめ運転ができるようにした風呂自動給湯機能付給湯装置においては、リモコン等によって風呂ぬるめ運転が指令されると、今回の風呂ぬるめ運転指令後に入水温度を検出し、その入水温度と風呂設定温度とから、風呂温度が風呂設定温度よりも少し低い温度になるように必要な水量を演算し、自動落とし込みを行っていた。このため、前回の給湯運転等の終了後の後沸き水が入水温度センサ付近まで侵入しているような場合には、風呂ぬるめ運転指令後に検出される入水温度が実際の入水温度よりも高くなっている等、必要な落とし込みの水量を正確に演算して落とし込むことができない問題があった。
また従来は、検出される入水温度が例え風呂設定温度よりも高い場合であっても、例えば20リットルまでは自動落とし込みを行う構成になされていたため、風呂ぬるめ運転によってかえって風呂温度が上昇するということもあった。
【０００４】
そこで本発明は、上記従来装置の問題を解消し、風呂ぬるめ運転において、かえって風呂温度が上昇するといったことを確実に防止すると共に、前回の運転による後沸きの影響を回避して必要な落とし込み水量を正確に演算することができる風呂自動給湯機能付給湯装置の提供を目的とする。
【０００５】
【課題を解決するための手段】
上記目的を達成するため、本発明の風呂自動給湯機能付給湯装置は、上水道からの水を熱交換缶体に導いて熱交換加熱し又は加熱することなく、給湯回路に出湯した後、風呂自動給湯管を介して自動的に風呂追い焚き循環回路に落とし込み、浴槽へ導入することができるようにした風呂自動給湯機能付給湯装置であって、制御部の機構として、風呂温度を風呂設定温度よりも少し低い温度に調節する風呂ぬるめ運転が指令された場合には、予め検出し且つ記憶させた前回の給湯運転の際の最終入水温度と今回の給湯運転における風呂設定温度とを比較し、前回の給湯運転の最終入水温度が今回の給湯運転の風呂設定温度よりも低い温度である場合には、浴槽温度が今回の給湯運転の風呂設定温度よりも一定温度だけ低い温度になるように落とし込み量を演算して、その量を熱交換加熱することなく落とし込ませ、前回の給湯運転の最終入水温度が今回の給湯運転の風呂設定温度以上である場合には、落とし込みを行わせない機構としたことを第１の特徴としている。
また本発明の風呂自動給湯機能付給湯装置は、前記第１の特徴において、制御部の機構として、前回の給湯運転の最終入水温度が今回の給湯運転の風呂設定温度以上である場合には、入水管内の水を新たな水に置き換えることができる程度の少量の一定水量を熱交換加熱することなく落とし込ませる機構としたことを第２の特徴としている。
【０００６】
上記本発明の第１の特徴において、風呂ぬるめ運転においては、風呂設定温度よりも一定温度だけ低い温度になるようにするが、一定温度とは例えば１℃とすることができるが、0.5 ℃以上で２〜３℃以下の温度を予め適当に選んでおくことができる。
また本発明の第２の特徴において、入水管内の水を新たな水に置き換えることができる程度の少量の一定水量とは、例えば数リットル程度以下の流量であるが、装置の種類や規模によって適当な水量を予め実験によって選ぶことができる。
また上記において、給湯運転とは、上水道からの水を熱交換器に導いて、熱交換加熱した温水で供給する場合のほか、熱交換加熱することなく水のまま供給する場合も含み、勿論風呂ぬるめ運転も含むものとする。
本発明の特徴においては、前回の給湯運転の最終入水温度を予め検出し且つ記憶させておき、風呂ぬるめ運転が指令された場合には、その前回の給湯運転の最終入水温度を用いて、風呂設定温度と比較するようにしているので、後沸き等の影響が加わっていない入水温度を用いて演算することできる。勿論、検出時期は今回の風呂ぬるめ運転時よりも過去に逆上るので、必ずしも今回の入水温度と同じというわけにはいかないが、後沸きの影響を解消してそれなりに正確な落とし込み量を演算することが可能となる。
【０００７】
【発明の実施の形態】
以下に本発明を実施形態に基づいて説明する。
図１は本発明の風呂自動給湯機能付給湯装置の実施形態例を示す１缶２回路式給湯装置の全体構成図で、図２は制御部による風呂ぬるめ運転の制御機構を示すフローチャートである。
【０００８】
図１に沿って１缶２回路式給湯装置の全体構成を説明する。符号10は１缶２回路式の熱交換缶体で、１つの送風ファン11と１つのバーナ12を備えている。バーナ12は燃料の噴霧ノズル12a 、点火器12b 等を備えている。前記噴霧ノズル12a には燃料が供給ポンプ12c により、供給制御弁12d を介して供給される。
熱交換缶体10内の上部空間には風呂追い焚き循環回路20の熱交換部20a と給湯回路40の熱交換部40a が配置されている。
前記風呂追い焚き循環回路20は、図示しない浴槽からの浴槽水を熱交換缶体10へ搬送するための風呂戻り管21と、熱交換加熱された湯を熱交換缶体10から浴槽へ搬送するための風呂往き管22とからなる。
前記風呂戻り管21には浴槽水位を検出する圧力センサ31、循環用ポンプ32、水流スイッチ33、風呂温度センサ34が設けられ、また風呂戻り管21から風呂往き管22へは三方弁23を介してバイパス24が設けられている。
前記給湯回路40は上水道からの水を熱交換缶体10に搬送する入水管41と、熱交換缶体10で加熱された温水を出湯する出湯管42を有し、出湯管42は更に一般給湯管43と風呂自動給湯管44とに分岐して延設されている。
前記入水管41には水量センサ51、入水温度センサ52が設けられ、出湯管42には出湯温度センサ53が設けられている。また入水管41からは比例調節弁45を介してバイパス46が設けられ、混水ができるようにされている。そして該バイパス46の合流点よりも下流側に水量調節弁54と給湯温度センサ55が設けられている。
前記一般給湯管43の末端には一般給湯カラン43a が設けられ、また前記風呂自動給湯管44は流量センサ44b を有する落とし込み弁ユニット44a を介して前記風呂追い焚き循環回路20の風呂戻り管21に接続し、風呂ぬるめ運転を含む風呂自動給湯運転ができるようにしている。
70は制御部で、装置各部に設けられたセンサ類からの情報を受け、また図示しないリモコンからの指令を受けて、内蔵のソフトウエアに基づき演算、判定し、所定の指令を装置各部に出力する。
上記において風呂自動給湯運転とは、設定した温度の温水を設定した量だけ自動的に浴槽へ落とし込む運転で、設定した温度は、制御部70により、出湯温度センサ53、給湯温度センサ55、風呂温度センサ34等からの温度情報に基づき、バーナ12による燃焼制御と比例調節弁45による混水調節によって得ることができる。また設定した量は、制御部70により、流量センサ44b からの流量情報に基づき、落とし込み弁ユニット44a を制御することにより得ることができる。
【０００９】
上記制御部70による風呂落とし込み運転の制御機構を、図２も参照して説明する。今、装置の運転スイッチがオンしている状態において（ステップＳ１でイエス）、図示しないリモコン等により風呂ぬるめ運転の指令がなされる（ステップＳ２でイエス）と、先ず、制御部70は内蔵の記憶部から記憶している前回の給湯運転の際の最終入水温度ＴE を呼び出し（ステップＳ３）、この前回の最終入水温度ＴE と風呂設定温度ＴS との大小を比較する（ステップＳ４）。そして、風呂設定温度ＴS の方が前回の最終入水温度ＴE よりも大きい場合（ステップＳ４でイエス）は、ステップＳ５〜ステップＳ８に進んで、通常のぬるめ運転となる。この場合には、先ず現在の風呂温度Ｔ（風呂保温運転を行っている場合は風呂設定温度ＴS となる）と現在の浴槽水位Ｖと前回の最終入水温度ＴE とから、風呂温度Ｔが風呂設定温度ＴS よりも一定温度、例えば１℃だけ低い温度になるように落とし込み量を演算する（ステップＳ５）。この場合、１℃だけ低い温度にする際には、ステップＳ４で前回の最終入水温度ＴE が風呂設定温度ＴS よりも１℃以上低いこと条件としてもよい。また前記ステップＳ５において、一定温度としては0.5 ℃以上で２〜３℃以下の温度を予め適当に選んでおくことができる。そしてステップＳ５に対応して、ステップＳ４においては、前回の最終入水温度ＴE が風呂設定温度ＴS よりも一定温度以上低いこと条件としてもよい。
【００１０】
ステップＳ５で落とし込み量が演算されると、その演算量を熱交換加熱することなく落とし込む（ステップＳ６）。落とし込みは落とし込み弁ユニット44a の電磁弁を開放することで行い、演算量の水量は流量センサ44b で検出する。
そして前記一定の演算量の落とし込みが完了すると、制御部70は、少量の一定量を風呂設定温度ＴS で落とし込ませる（ステップＳ７）。少量の一定量とは、例えば２〜３リットル程度以下の水量で、浴槽に到る配管内、即ち本例においては給湯回路40内と風呂自動給湯管44内と風呂追い焚き循環回路20内の水を風呂設定温度ＴS で置き換えることができる程度の量である。配管内を風呂設定温度ＴS にすることで、その直後的な給湯の際に冷水が初期給湯されるのを予防できる。
制御部70は、前記ステップＳ６での落とし込みの際には、入水管41を通る入水温度を入水温度センサ52によって検出させ、その得られた最終入水温度を制御部70の記憶部に記憶する（ステップＳ８）。以上で風呂ぬるめ運転が終了する。
【００１１】
前記ステップＳ４において、風呂設定温度ＴS が前回の最終入水温度ＴE 以下の場合（ステップＳ４でノー）は、ぬるめ用の水は一切、落とし込まない。そしてめるめ運転の後処理運転的なステップＳ７〜ステップＳ８に進む。
尚、ステップＳ４でノーの場合には、ぬるめ用の水を一切落とし込まない代わりに、少量の一定水量を熱交換加熱することなく落とし込むようにしてもよい（ステップＳ９）。この場合の少量の一定水量は、例えば２〜３リットル程度以下の水量で、浴槽に到る配管内、即ち本例においては入水管41内の水を新たな水に置き換えることができる程度の量である。これによって入水管41内の水を後沸き状態のない水に置き換えることができ、その後の給湯の際に、後沸き水を更に加熱するといったことなく、給湯初期から設定温度への熱交換加熱を正確に行える。
【００１２】
【発明の効果】
本発明は以上の構成よりなり、請求項１に記載の風呂自動給湯機能付給湯装置によれば、制御部の機構として、風呂温度を風呂設定温度よりも少し低い温度に調節する風呂ぬるめ運転が指令された場合には、予め検出し且つ記憶させた前回の給湯運転の際の最終入水温度と今回の給湯運転における風呂設定温度とを比較し、前回の給湯運転の最終入水温度が今回の給湯運転の風呂設定温度よりも低い温度である場合には、浴槽温度が今回の給湯運転の風呂設定温度よりも一定温度だけ低い温度になるように落とし込み量を演算して、その量を熱交換加熱することなく落とし込ませ、前回の給湯運転の最終入水温度が今回の給湯運転の風呂設定温度以上である場合には、落とし込みを行わせない機構としたので、
後沸きの影響のない入水温度を用いて、しかも今回に一番近い前回の最終入水温度を用いて、風呂ぬるめ運転に必要な落とし込み水量を確実に演算することができ、落とし込みすることができる。
また前回の最終入水温度が高い場合には落とし込みを行わないので、風呂温度が風呂ぬるめ運転によりかえって上昇するといったことも確実に防止できる。
また請求項２に記載の風呂自動給湯機能付給湯装置によれば、制御部の機構として、前回の給湯運転の最終入水温度が今回の給湯運転の風呂設定温度以上である場合には、入水管内の水を新たな水に置き換えることができる程度の少量の一定水量を熱交換加熱することなく落とし込ませる機構としたので、
これによって入水管内の水を後沸き状態のない水に置き換えることができ、その後の給湯の際に、後沸き水を更に加熱してしまうといったことなく、給湯初期から設定温度への熱交換加熱を正確に行える。
【図面の簡単な説明】
【図１】本発明の風呂自動給湯機能付給湯装置の実施形態例を示す１缶２回路式給湯装置の全体構成図である。
【図２】制御部による風呂ぬるめ運転の制御機構を示すフローチャートである。
【符号の説明】
10  熱交換缶体
12  バーナ
20  風呂追い焚き循環回路
40  給湯回路
41  入水管
44  風呂自動給湯管
70  制御部
【図１】
0003644088.tif 000002
【図２】
0003644088.tif 000003